(57)【要約】      （修正有）【課題】使い勝手のよい電子機器を提供する。【解決手段】電子機器は、ユーザを介した人体通信、又は近距離通信によって、第１機器と通信する通信部と、所定時間あたりの前記通信部による前記第１機器との通信時間に応じて、前記第１機器の使用状況を検出する検出部と、を備えている。この場合において、前記検出部は、前記通信時間の変化に応じて、前記第１機器の使用状況を検出してもよい。また、電子機器は、前記ユーザの動きに関する情報を入力する第１入力部を備え、前記検出部は、前記第１入力部の入力結果に基づいて、前記第１機器の使用状況を検出してもよい。【選択図】図４
2014007660.tif 000002
【特許請求の範囲】
【請求項１】
ユーザを介した人体通信、又は近距離通信によって、第１機器と通信する通信部と、
所定時間あたりの前記通信部による前記第１機器との通信時間に応じて、前記第１機器の使用状況を検出する検出部と、
を備えたことを特徴とする電子機器。
【請求項２】
前記検出部は、前記通信時間の変化に応じて、前記第１機器の使用状況を検出することを特徴とする請求項１記載の電子機器。
【請求項３】
前記ユーザの動きに関する情報を入力する第１入力部を備え、
前記検出部は、前記第１入力部の入力結果に基づいて、前記第１機器の使用状況を検出することを特徴とする請求項１または２記載の電子機器。
【請求項４】
前記ユーザの位置に関する情報を入力する第２入力部と、
前記ユーザの位置に関する情報に基づいて前記所定時間を決定する決定部と、
を備えることを特徴とする請求項１から３のいずれか一項に記載の電子機器。
【請求項５】
画像を撮像する撮像装置と、音声を集音する集音装置との少なくとも一方の出力を取得する第１取得部と、
前記第１取得部が取得した出力を前記第１機器の使用状況と関連付けて記憶する第１記憶部と、
を備えたことを特徴とする請求項１から４のいずれか一項記載の電子機器。
【請求項６】
前記第１機器に関連した情報を取得する第２取得部と、
前記第１機器の使用状況を前記第１機器に関連した情報に関連付けて記憶する第２記憶部と、
を備えたことを特徴とする請求項１から５のいずれか一項に記載の電子機器。
【請求項７】
前記第１取得部は、前記ユーザが筆記を行っているときに前記出力を取得することを特徴とする請求項５記載の電子機器。
【請求項８】
外部機器に、前記検出部が検出した第１機器の使用状況を送信する送信部を備えることを特徴とする請求項１から７のいずれか一項記載の電子機器。
【請求項９】
前記第１機器の使用状況と前記第１機器の使用に関するスケジュールとに基づいて、前記第１機器の使用に関する表示を行う第１表示部を備えたことを特徴とする請求項１から８のいずれか一項記載の電子機器。
【請求項１０】
前記第１機器の使用状況と前記第１機器の使用に関する目標とに基づいて、前記第１機器の使用に関する表示を行う第２表示部を備えたことを特徴とする請求項１から９のいずれか一項記載の電子機器。
【請求項１１】
外部機器に記憶されている情報を入力する第３入力部を備え、
前記第３入力部が入力した情報を表示する第３表示部を備えたことを特徴とする請求項１から１０のいずれか一項記載の電子機器。
【請求項１２】
前記外部機器は、前記ユーザが所属する集団に属している他のユーザが接続可能であることを特徴とする請求項８又は１１に記載の電子機器。
【請求項１３】
前記外部機器に記憶されている情報は、前記第１機器又は前記第１機器とは異なる第２機器を使用する他のユーザの前記第１機器又は前記第２機器の使用状況および前記他のユーザの動きに関する情報を含むことを特徴とする請求項１１に記載の電子機器。
【発明の詳細な説明】
【技術分野】
【０００１】
本発明は、電子機器に関する。
【背景技術】
【０００２】
従来において、日々の行動履歴を記憶するシステムが提案されている。
【０００３】
最近では、人体通信を用いて位置に関する行動履歴を記憶する技術について提案されている（例えば、特許文献１参照）。また、筆記具に設けた通信装置との間の人体通信を利用して、他の機器がユーザの筆跡を推定し、描画する技術についても提案されている（例えば、特許文献２参照）。
【先行技術文献】
【特許文献】
【０００４】
【特許文献１】特開２０１０−３９７８９号公報
【特許文献２】特開２０１１−９１６７９号公報
【発明の概要】
【発明が解決しようとする課題】
【０００５】
しかしながら、従来の行動履歴を記憶するシステムは、利用できる場面が限定的であり、様々な場面での適用が考慮されておらず、必ずしも使い勝手の良いものではなかった。
【０００６】
本発明は上記の課題に鑑みてなされたものであり、使い勝手の良い電子機器を提供することを目的とする。
【課題を解決するための手段】
【０００７】
本発明の電子機器は、ユーザを介した人体通信、又は近距離通信によって、第１機器（１０）と通信する通信部（２２２）と、所定時間あたりの前記通信部による前記第１機器との通信時間に応じて、前記第１機器の使用状況を検出する検出部（２７３）と、を備える。
【０００８】
この場合において、前記検出部は、前記通信時間の変化に応じて、前記第１機器の使用状況を検出してもよい。また、本発明の電子機器は、前記ユーザの動きに関する情報を入力する第１入力部（２８１）を備え、前記検出部は、前記第１入力部の入力結果に基づいて、前記第１機器の使用状況を検出してもよい。
【０００９】
また、本発明の電子機器は、前記ユーザの位置に関する情報を入力する第２入力部（２７１）と、前記ユーザの位置に関する情報に基づいて前記所定時間を決定する決定部（２７２）と、を備えていてもよい。また、本発明の電子機器は、画像を撮像する撮像装置（２００）と、音声を集音する集音装置（３００）との少なくとも一方の出力を取得する第１取得部（２７４）と、前記第１取得部が取得した出力を前記第１機器の使用状況と関連付けて記憶する第１記憶部（２４）と、を備えていてもよい。この場合において、前記第１取得部は、前記ユーザが筆記を行っているときに前記出力を取得してもよい。
【００１０】
また、本発明の電子機器は、前記第１機器に関連した情報を取得する第２取得部（２７５）と、前記第１機器の使用状況を前記第１機器に関連した情報に関連付けて記憶する第２記憶部（２４）と、を備えていてもよい。また、本発明の電子機器は、外部機器（４００）に、前記検出部が検出した第１機器の使用状況を送信する送信部（２７９）を備えていてもよい。
【００１１】
また、本発明の電子機器は、前記第１機器の使用状況と前記第１機器の使用に関するスケジュールとに基づいて、前記第１機器の使用に関する表示を行う第１表示部（２５）を備えていてもよい。また、本発明の電子機器は、前記第１機器の使用状況と前記第１機器の使用に関する目標とに基づいて、前記第１機器の使用に関する表示を行う第２表示部（２５）を備えていてもよい。
【００１２】
また、本発明の電子機器は、外部機器に記憶されている情報を入力する第３入力部（２７８）を備え、前記第３入力部が入力した情報を表示する第３表示部（２５）を備えていてもよい。この場合において、前記外部機器は、前記ユーザが所属する集団に属している他のユーザが接続可能であってもよい。また、この場合において、前記外部機器に記憶されている情報は、前記第１機器又は前記第１機器とは異なる第２機器を使用する他のユーザの前記第１機器又は前記第２機器の使用状況および前記他のユーザの動きに関する情報を含んでいてもよい。
【００１３】
なお、本発明をわかりやすく説明するために、上記においては後述の各実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１４】
本発明は、使い勝手の良い電子機器を提供することができるという効果を奏する。
【図面の簡単な説明】
【００１５】
【図１】第１の実施形態に係る電子機器システムの構成を示すブロック図である。
【図２】第１の実施形態に係る電子機器システムを利用している状況を示す図である。
【図３】電子機器の制御部のハードウェア構成の一例を示す図である。
【図４】第１の実施形態に係る電子機器の制御部が備える機能の一例を示す機能ブロック図である。
【図５】練習場所テーブルの一例を示す図である。
【図６】電子楽譜に記入されたメモの一例を示す図である。
【図７】練習時間ＤＢの一例を示す図である。
【図８】図８（Ａ）はメモＤＢの一例を示す図であり、図８（Ｂ）は画像ＤＢの一例を示す図であり、図８（Ｃ）は音声ＤＢの一例を示す図であり、図８（Ｄ）は練習内容ＤＢの一例を示す図である。
【図９】目標管理ＤＢを示す図である。
【図１０】第１の実施形態に係る電子機器の制御部が実行する処理の一例を示すフローチャートである。
【図１１】図１１（Ａ）〜図１１（Ｃ）は、検出部が取得するデータの一例を示す図である。
【図１２】図１２（Ａ）〜図１２（Ｃ）は、電子機器の表示部に表示されるデータの一例を示す図である。
【図１３】第２の実施形態に係る電子機器システムの構成を示すブロック図である。
【図１４】第２の実施形態に係る電子機器システムを利用している状況を示す図である。
【図１５】第２の実施形態に係る電子機器の制御部が備える機能の一例を示す機能ブロック図である。
【図１６】図１６（Ａ）及び図１６（Ｂ）は、加速度計が出力するデータの一例を示す図である。
【図１７】第２の実施形態に係る電子機器の制御部が実行する処理の一例を示すフローチャートである。
【発明を実施するための形態】
【００１６】
《第１の実施形態》
以下、第１の実施形態に係る電子機器システムについて、図１〜図１２に基づいて、詳細に説明する。図１には、本第１の実施形態の電子機器システム１Ａの構成がブロック図にて示されている。また、図２には、電子機器システム１Ａを利用している状況が示されている。
【００１７】
電子機器システム１Ａは、ユーザがスポーツや楽器の練習、学習などの行動を行うときに利用するシステムである。本実施形態では、一例として、図２に示すようにユーザが楽器の練習を行うときに電子機器システム１Ａを利用するものとして説明する。
【００１８】
図１、図２に示すように、電子機器システム１Ａは、ギター５０に設けられた通信装置１０と、通信装置１０との間で通信を行う電子機器２０と、電子機器２０との間で通信を行う撮像装置２００、マイク３００、電子楽譜５０２と、サーバ４００と、を備える。なお、本実施形態では、バンドのメンバー（例えば、ギター、ベース、キーボードの奏者）それぞれが、通信装置１０、電子機器２０、撮像装置２００、マイク３００、及び電子楽譜５０２を保有しており、各装置を練習の際に用いるものとする。
【００１９】
なお、本実施形態においては、通信装置１０と電子機器２０との通信は、導体である人体を通信媒体とする人体通信により行われるものとする。なお、人体通信には、人体に微弱な電流を流して、その電流を変調して情報を伝達する電流方式や、人体の表面に誘起する電界を変調して情報を伝達する電界方式などがある。なお、本実施形態では、電流方式及び電界方式のいずれのタイプを用いることも可能である。
【００２０】
（通信装置１０）
通信装置１０は、ユーザが使用する機器に設けられる。本実施形態では、通信装置１０は、図２に示すように、ユーザが使用するギター５０のボディやネックに設けられているものとする。通信装置１０は、図１に示すように、電極部１１と、メモリ１２と、通信部１３と、制御部１４と、を有する。
【００２１】
電極部１１は、信号電極とグラウンド電極とを有し、ユーザを介して電子機器２０と通信を行うための電極である。この電極部１１は、ユーザの体の一部に触れる位置に設けられている。例えば、電極部１１は、ユーザの手に触れる位置（ギター５０のフィンガーボードの表面又は裏面）や、ユーザの腹部に触れる位置（ギター５０のボディの裏面）に設けることができる。本実施形態では、電極部１１は、図２に示すように、ギター５０のフィンガーボードの裏面（ユーザの親指が接触する位置）に設けられているものとする。なお、電極部１１を用いた人体通信は、ユーザの体の一部と電極部１１が直接接触している場合はもちろん、ユーザの体の一部と電極部１１とが対向している場合（ユーザの体の一部と電極部１１との間に衣服が介在する場合）であっても、実現可能である。なお、通信装置１０がキーボードに設けられる場合には、電極部１１を鍵盤などの手に直接触れる位置に設けるようにすればよい。
【００２２】
メモリ１２は、不揮発性のメモリ（例えばフラッシュメモリ）であり、通信装置１０が設けられた機器（楽器）に関する情報を記憶している。本実施形態においては、メモリ１２に、楽器の種類（ギター、ベース、キーボード等）が記憶されているものとする。通信部１３は、バンドパスフィルタを有した電気回路から構成され、メモリ１２に記憶されているデータを、電極部１１や人体を介して電子機器２０に送信する。制御部１４は、通信装置１０全体を制御するものであり、主に電子機器２０へのデータ送信を制御する。
【００２３】
（撮像装置２００）
撮像装置２００は、例えば、デジタルカメラやデジタルビデオカメラである。撮像装置２００は、楽器を練習しているユーザを撮像できる位置、例えば図２に示す譜面台５０１上に取り付けられるものとする。この撮像装置２００は、図１に示すように、通信部２０１と、撮像部２０２と、制御部２０３と、を有する。
【００２４】
通信部２０１は、電子機器２０の第２通信部２２３との間で通信を行う。通信部２０１は、電子機器２０から撮像依頼を受信するとともに、撮像部２０２で撮像した画像を電子機器２０に対して送信する。
【００２５】
撮像部２０２は、複数のレンズと、ＣＣＤ（Charge Coupled Device）イメージセンサやＣＭＯＳ（Complementary Metal
Oxide Semiconductor）センサなどの撮像素子と、を有しており、動画や静止画などの撮像を行うものである。
【００２６】
制御部２０３は、ＣＰＵを備えており、撮像装置２００全体を制御するものであり、主に、電子機器２０からの指示（撮像依頼）に基づいて撮像するタイミング（撮像の開始や、撮像の終了など）を制御したり、通信部２０１による電子機器２０への撮像データの送信を制御する。
【００２７】
（マイク３００）
マイク３００は、楽器を練習しているユーザの演奏音やユーザの声を取得できる位置、例えば図２に示す譜面台５０１上、に取り付けられている。マイク３００は、通信部３０１と、集音部３０２と、制御部３０３と、を有する。
【００２８】
通信部３０１は、電子機器２０の第２通信部２２３との間で通信を行う。通信部３０１は、電子機器２０から集音依頼を受信するとともに、集音部３０２が収集した音声データを電子機器２０に送信する。
【００２９】
集音部３０２は、ユーザの演奏音やユーザの声を収集する。制御部３０３は、ＣＰＵを備えており、マイク３００全体を制御するものであり、主に、電子機器２０からの指示（集音依頼）により集音のタイミング（集音の開始や、集音の終了）を制御したり、通信部３０１による電子機器２０への音声データの送信を制御する。
【００３０】
（電子楽譜５０２）
電子楽譜５０２は、ユーザが演奏する楽曲の楽譜を表示したり、楽譜に対する書き込みを行ったりすることが可能な端末である。電子楽譜５０２は、通信部５１１と、記憶部５１２と、表示部５１４と、入力部５１５と、制御部５１３と、を有する。
【００３１】
通信部５１１は、電子機器２０の第２通信部２２３との間で通信を行い、電子機器２０に対して各種データ（例えば、ユーザが書き込んだ内容に関するデータ）を送信する。記憶部５１２は、不揮発性のメモリ（例えば、フラッシュメモリ）やハードディスクドライブであり、各種データ（楽譜データやユーザが書き込んだ内容に関するデータ）を記憶するものである。表示部５１４は、液晶ディスプレイ（ＬＣＤ）等であり、楽譜を表示したり、ユーザが書き込んだ内容を表示したりする。入力部５１５は、タッチパネルであり、ユーザは当該入力部５１５を介して、楽譜に対する書き込みを行うことができるようになっている。制御部５１３は、ＣＰＵを備えており、電子楽譜５０２全体を制御する。
【００３２】
（電子機器２０）
電子機器２０は、通信装置１０との通信状態に基づいて各種処理を行ったり、外部機器（撮像装置２００、マイク３００、電子楽譜５０２、サーバ４００）と通信を行ったりするものである。電子機器２０としては、携帯電話、スマートフォン、ＰＨＳ（Personal Handy-phone System）、ＰＤＡ（Personal Digital
Assistant）、タブレット型パーソナルコンピュータ（タブレット型パソコン）等を採用することができるが、本実施形態では、電子機器２０は、スマートフォンであるものとする。
【００３３】
電子機器２０は、通信部２２と、計時部２３と、記憶部２４と、表示部２５と、ＧＰＳ（Global
Positioning System）モジュール２６と、制御部２７Ａと、を備える。
【００３４】
通信部２２は、電極部２２１と、第１通信部２２２と、第２通信部２２３と、を有する。
【００３５】
電極部２２１は、信号電極とグラウンド電極とを有し、ユーザを介して通信装置１０と人体通信するための電極である。第１通信部２２２は、バンドパスフィルタを有する電気回路から構成され、通信装置１０から送信されるデータを人体通信により受信する。本実施形態では、第１通信部２２２は、通信装置１０からユーザが使用している楽器の種類を受信する。
【００３６】
第２通信部２２３は、外部機器（撮像装置２００、マイク３００、電子楽譜５０２、サーバ４００）と通信（例えば双方向通信）を行うものであり、無線、有線、電気通信回線などの通信を適用することができる。本実施形態の第２通信部２２３は、撮像装置２００への撮像依頼の送信および撮像装置２００からの撮像データの受信、マイク３００への集音依頼の送信およびマイク３００からの音声データの受信、サーバ４００への各種データ送信、並びに電子楽譜５０２からのユーザによる書き込みデータの受信、を人体通信とは異なる通信方式により行う。
【００３７】
計時部２３は、ユーザが所定の行動（楽器の練習や、筆記（電子楽譜５０２への書き込み）等）を行っているときの時刻情報を制御部２７Ａに対して出力する。
【００３８】
記憶部２４は、不揮発性のメモリやハードディスクドライブであり、通信装置１０、撮像装置２００、マイク３００、電子楽譜５０２等から入力された各種データ、及び当該データに基づいて検出されたユーザの練習度合を記憶する。本実施形態においては、記憶部２４には、練習時間ＤＢ（図７）、メモＤＢ（図８（Ａ））、画像ＤＢ（図８（Ｂ））、音声ＤＢ（図８（Ｃ））、練習内容ＤＢ（図８（Ｄ））、および練習場所テーブル（図５）が格納されているものとする。なお、各ＤＢの詳細については、後述する。
【００３９】
表示部２５は、例えば、液晶表示素子を用いたデバイスであり、ユーザの操作に応じて又は制御部２７Ａの制御の下、記憶部２４に記憶された情報を表示する。
【００４０】
ＧＰＳモジュール２６は、電子機器２０の位置（例えば、緯度及び経度）を検出するセンサである。本実施形態では、電子機器２０をユーザが保持しているため（図２参照）、ＧＰＳモジュール２６によって、ユーザの位置が検出される。
【００４１】
制御部２７Ａは、電子機器２０、ひいては電子機器システム１Ａ全体を制御するものであり、本実施形態では、記憶部２４が記憶する各ＤＢを更新するための制御や、サーバ４００にデータを送信するための制御、および表示部２５に表示を行うための制御等を行う。
【００４２】
図３には、制御部２７Ａのハードウェア構成の一例が示されている。図３に示すように、制御部２７Ａは、入出力部２９１と、ＲＯＭ２９２と、ＣＰＵ２９３と、ＲＡＭ２９４と、を備える。入出力部２９１は、通信部２２、計時部２３、記憶部２４および表示部２５との間でデータの送受信を行う。ＲＯＭ２９２は、通信装置１０との通信時間に基づいてユーザの練習度合を判定するプログラム等を格納する。ＣＰＵ２９３は、ＲＯＭ２９２に格納されたプログラムを読み込んで実行する。ＲＡＭ２９４は、プログラムを実行する際に使用される一時的なデータを保存する。
【００４３】
次に、上述したハードウェア資源とソフトウェアとの協働により実現される、制御部２７Ａが有する機能の一例について説明する。図４は、制御部２７Ａが有する機能の一例を示す機能ブロック図である。制御部２７Ａは、図４に示すように、位置情報入力部２７１、決定部２７２、検出部２７３、第１取得部２７４、第２取得部２７５、データ登録部２７６、外部情報入力部２７８、送信部２７９、及び表示制御部２８０、の各機能を有する。
【００４４】
位置情報入力部２７１は、ＧＰＳモジュール２６から電子機器２０（ユーザ）の位置情報を取得し、決定部２７２に入力する。決定部２７２は、位置情報入力部２７１から位置情報を受け付け、当該位置情報と、記憶部２４に記憶されている練習場所テーブル（図５）と、に基づいて、所定時間（後述する検出部２７３にて使用される）を決定し、検出部２７３に出力する。ここで、練習場所テーブルは、図５に示すように、「場所ＩＤ」と、「練習場所名」と、「位置」の各項目を有する。この練習場所テーブルには、ユーザによって登録されている楽器の練習場所と、当該練習場所の位置（緯度、経度）が格納されている。なお、図５では、練習場所を矩形の領域とみなした場合の四隅部分の位置が緯度、経度にて定義されているものとする。
【００４５】
検出部２７３は、決定部２７２で決定された所定時間あたりの通信装置１０との通信時間に基づいて、ユーザの練習度合（“熱心”に練習しているか、“だらだら”練習しているか）を検出し、データ登録部２７６に入力する。
【００４６】
第１取得部２７４は、ユーザが電子楽譜５０２に書き込みを行っているタイミングで、撮像装置２００に対する撮像依頼、マイク３００に対する集音依頼を行うとともに、撮像装置２００から撮像データを取得し、マイク３００から音声データを取得する。なお、第１取得部２７４は、ユーザが電子楽譜５０２に書込みを行っているタイミングを、電子楽譜５０２の通信部５１１から書き込みに関するデータが送信されているか否かに基づいて判断することができる。
【００４７】
また、第１取得部２７４は、ユーザが楽譜に対して書込みを行った場合に、書き込んだ内容（データ）を取得し、データ登録部２７６に入力する。例えば、図６に示すように、曲Ａの楽譜に対して、「ここはパパパパーン」というメモが書き込まれたとする。この場合、第１取得部２７４は、「ここはパパパパーン」というメモ部分を含む楽譜全体の画像を取得し、データ登録部２７６に入力する。
【００４８】
第２取得部２７５は、例えば、電子楽譜５０２の記憶部５１２からユーザが練習を行っている楽曲情報（電子楽譜５０２の表示部５１４に表示されている楽曲）を取得し、データ登録部２７６へ入力する。
【００４９】
データ登録部２７６は、検出部２７３、第１取得部２７４、及び第２取得部２７５から各種データを受け付け、記憶部２４（練習時間ＤＢ、メモＤＢ、画像ＤＢ、音声ＤＢ、練習内容ＤＢ）に記録する。ここで、記憶部２４に格納されている各種ＤＢについて、図７、図８に基づいて詳細に説明する。
【００５０】
（練習時間ＤＢ）
図７には、練習時間ＤＢの一例が示されている。練習時間ＤＢは、「練習ＩＤ」、「楽器種類」、「開始日時」、「終了日時」、および「練習度合」の項目を有する。「練習ＩＤ」の項目には、自動的に採番される各練習を識別するためのＩＤが入力される。「楽器種類」の項目には、練習ＩＤで識別される練習において、ユーザが使用した楽器の種類が入力される。なお、ユーザが使用した楽器の種類は、通信装置１０との通信により取得できる。「開始日時」および「終了日時」の項目には、練習ＩＤで識別される練習の開始日時（計時部２３から取得）および終了日時（計時部２３から取得）が入力される。「練習度合」の項目には、練習ＩＤで識別される練習にユーザがどれだけ熱心に取り組んだかが入力される。なお、練習度合のデータは、検出部２７３から入力される。なお、図７の練習時間ＤＢにＧＰＳモジュール２６の出力に基づき練習場所のデータを記憶させるようにしてもよい。
【００５１】
（メモＤＢ）
図８（Ａ）には、メモＤＢの一例が示されている。メモＤＢは、「練習ＩＤ」、「楽器種類」、「メモ」、「筆記開始日時」および「筆記終了日時」の項目を有する。「メモ」の項目には、第１取得部２７４が取得するユーザの書き込み（メモ部分）を含む楽譜全体の画像の画像ファイル名が、例えば、ビットマップ形式で格納される。また、「筆記開始日時」および「筆記終了日時」の項目には、ユーザが書き込みを開始した日時（計時部２３から取得）と、ユーザが書き込みを終了した日時（計時部２３から取得）とを格納する。
【００５２】
（画像ＤＢ）
図８（Ｂ）には、画像ＤＢの一例が示されている。画像ＤＢは、「練習ＩＤ」、「楽器種類」、「ファイル名」、「撮像開始日時」および「撮像終了日時」の項目を有する。「ファイル名」の項目には、第１取得部２７４が取得する画像データのファイル名が格納される。また、「撮像開始日時」および「撮像終了日時」の項目には、撮像を開始した日時（計時部２３から取得）と、撮像を終了した日時（計時部２３から取得）とを格納する。
【００５３】
（音声ＤＢ）
図８（Ｃ）には、音声ＤＢの一例が示されている。音声ＤＢは、「練習ＩＤ」、「楽器種類」、「ファイル名」、「集音開始日時」および「集音終了日時」の項目を有する。「ファイル名」の項目には、第１取得部２７４が取得する音声データのファイル名が格納される。また、「集音開始日時」および「集音終了日時」の項目には、集音を開始した日時（計時部２３から取得）と、集音を終了した日時（計時部２３から取得）とを格納する。なお、上述したメモＤＢ、画像ＤＢ、音声ＤＢは、「練習ＩＤ」及び「楽器種類」の項目が共通しているため、楽譜に書き込まれたメモ（画像データ）と、メモを書き込んでいるときのユーザの様子（画像データ）とを関連付けることができる。
【００５４】
（練習内容ＤＢ）
図８（Ｄ）には、練習内容ＤＢの一例が示されている。練習内容ＤＢは、「練習ＩＤ」、「楽器種類」、「練習内容」、「開始日時」、および「終了日時」の項目を有する。「練習内容」の項目は、練習ＩＤで識別される練習において練習した曲を格納する。なお、練習した曲の情報は、第２取得部２７５が電子楽譜５０２から取得する。「開始日時」及び「終了日時」の項目には、「練習内容」の項目に格納された曲の練習を開始した日時と、練習を終了した日時とがそれぞれ格納される。これにより、各練習と、練習した曲とが関連付けられる。なお、同じ練習ＩＤで識別される練習でも、練習する楽曲が変わった場合には、データが追加される。例えば、図８（Ｄ）の練習ＩＤ「Ａ００３」のレコードには、１８：００〜２０：００において曲Ａを練習し、２０：００〜２２：００において曲Ｂを練習したことが記録されている。
【００５５】
図４に戻り、外部情報入力部２７８は、サーバ４００が保有する情報を取得し、表示制御部２８０に送信する。送信部２７９は、記憶部２４に記憶されている情報（練習時間ＤＢ、メモＤＢ、画像ＤＢ、音声ＤＢ、練習内容ＤＢ）をサーバ４００に送信（転送）する。表示制御部２８０は、記憶部２４に記憶されている情報や、サーバ４００に格納されている情報を表示部２５に表示するための制御を行う。
【００５６】
（サーバ４００）
図１に戻り、サーバ４００は、通信部４０１と、記憶部４０２と、制御部４０３と、を有する。
【００５７】
通信部４０１は、電子機器２０の第２通信部２２３との間で通信を行い、電子機器２０からの各種データを受信する。記憶部４０２は、不揮発性のメモリ（例えば、フラッシュメモリ）やハードディスクドライブであり、電子機器２０より受信した各種データを記憶するものである。制御部４０３は、ＣＰＵを備えており、サーバ４００全体を制御するものであり、例えば、通信部４０１を制御して、記憶部４０２に記憶されているデータを、電子機器２０や他の装置（携帯端末やパーソナルコンピュータ）に送信する。
【００５８】
本実施形態では、サーバ４００は、バンドのメンバーが利用する複数の電子機器２０から、電子機器２０それぞれで得られた楽器練習に関する情報を取得して、保持する（例えば、図９の目標管理ＤＢ参照）。また、サーバ４００は、電子機器２０等からの求めに応じて、保持する情報を電子機器２０等に提供する。ここで、目標管理ＤＢは、図９に示すように、「楽器種類」、「発表日」、「目標練習時間」および「実練習時間」の項目を有する。なお、「楽器種類」、「発表日」、「目標練習時間」の各項目の情報は、ユーザが電子機器２０上からサーバ４００に対して入力（設定）した情報であるものとする。また、「実練習時間」の項目には、各ユーザ（ギターやベースやキーボードの奏者）が練習に要した時間が入力される。練習に要した時間は、各ユーザが保有する電子機器２０の送信部２７９からサーバ４００に対して送信される練習時間ＤＢ（図７）から取得可能である。
【００５９】
次に、電子機器２０が実行する処理の一例について説明する。図１０は電子機器２０が実行する処理の一例を示すフローチャートである。
【００６０】
図１０の処理では、まず、ステップＳ１０において、位置情報入力部２７１が、ＧＰＳモジュール２６からユーザの位置情報を取得し、決定部２７２に入力する。
【００６１】
次いで、ステップＳ１１では、決定部２７２が、ユーザの位置情報に基づいて、ユーザが所定場所に入場したか否か判断する。ここで、所定場所とは、図５に示す練習場所テーブルにおいて予めユーザ等によって設定されている楽器の練習場所（自宅の防音室やスタジオ等）であるものとする。ＧＰＳモジュール２６の出力が練習場所テーブルに格納されている練習場所のいずれかに含まれていた場合には、ステップＳ１１の判断が肯定され、ステップＳ１２に移行する。一方、ステップＳ１１の判断が否定されている間は、ステップＳ１０及びステップＳ１１の処理・判断を繰り返す。
【００６２】
ステップＳ１２に移行すると、決定部２７２が、所定場所におけるユーザの滞在時間の取得を開始する（練習時間ＤＢ（図７）、練習内容ＤＢ(図８（Ｄ）)の開始日時に現在日時を記録する）。次いで、ステップＳ１３では、検出部２７３が、通信装置１０との通信時間の取得を開始する。この場合、ユーザが楽器を持っている（演奏している）間の時間が取得されることになる。
【００６３】
次いで、ステップＳ１４では、第２取得部２７５が、電子楽譜５０２から楽曲情報を取得し、データ登録部２７６に入力する。この場合、データ登録部２７６は、取得した楽曲情報を、練習内容ＤＢ（図８（Ｄ））に格納する。
【００６４】
次いで、ステップＳ１６では、データ登録部２７６は、ユーザの練習している楽曲が変わったか否か判断する。なお、楽曲が変わったか否かは、電子楽譜５０２に表示されている楽譜が変更されたか否かに基づいて判断することができる。ここでの判断が肯定された場合、すなわち、ユーザの練習している楽曲が変わった場合、ステップＳ１８に移行する。ステップＳ１８に移行すると、データ登録部２７６は、日時情報を計時部２３から取得し、次のステップＳ２０において、練習内容ＤＢ（図８（Ｄ））を更新する。これにより、例えば、練習している楽曲が、曲Ａから曲Ｂに変わった場合、曲Ａの練習終了日時、曲Ｂの練習開始日時が、練習内容ＤＢに記録される。その後は、ステップＳ２２に移行する。
【００６５】
これに対し、ステップＳ１６の判断が否定された場合、すなわち、楽曲が変わっていない場合には、ステップＳ２２に移行する。ステップＳ２２では、第１取得部２７４が、ユーザが筆記を行っているか否か判断する。ここでの判断が肯定された場合、すなわち、ユーザが筆記を行っている場合、ステップＳ２４に移行する。そして、ステップＳ２４では、データ登録部２７６が、筆記開始日時を計時部２３から取得する。なお、データ登録部２７６は、取得した筆記開始日時を、メモＤＢの筆記開始日時の項目に格納する。
【００６６】
次いでステップＳ２６では、第１取得部２７４が、撮像装置２００およびマイク３００に対して撮像依頼および集音依頼をそれぞれ行う。次いで、ステップＳ２８では、第１取得部２７４が、ユーザの筆記が終了したか否かを判断する。ここでの判断が否定された場合、すなわち、ユーザの筆記が終了していない場合、ユーザの筆記が終了するまでステップＳ２８の判断が繰り返される。
【００６７】
一方、ステップＳ２８の判断が肯定された場合、すなわち、ユーザの筆記が終了した場合、ステップＳ３０に移行する。ステップＳ３０では、データ登録部２７６が、筆記終了日時を計時部２３から取得する。この場合、データ登録部２７６は、取得した筆記終了日時を、メモＤＢの筆記終了日時の項目に格納する。
【００６８】
次いで、ステップＳ３２では、第１取得部２７４が、撮像装置２００およびマイク３００に対して、撮像及び集音を終了するよう指示し、撮像装置２００及びマイク３００から撮像データおよび音声データを取得するとともに、電子楽譜５０２からメモ部分（書き込み部分）を含む楽譜全体の画像を取得する。そして、第１取得部２７４は、取得した各データをデータ登録部２７６に入力する。次いで、ステップＳ３４では、データ登録部２７６が、メモＤＢ、画像ＤＢおよび音声ＤＢを取得した各データで更新する。更に、ステップＳ３４では、データ登録部２７６が、画像ＤＢの撮像終了日時の項目と、音声ＤＢの集音終了日時の項目に、撮像及び集音の終了指示を出した日時を格納する。その後は、ステップＳ３６に移行する。
【００６９】
なお、ステップＳ２２の判断が否定された場合、すなわち、ユーザが筆記を行っていなかった場合には、ステップＳ２４〜Ｓ３４を経ずにステップＳ３６に移行する。
【００７０】
ステップＳ３６に移行した場合、決定部２７２は、ユーザの位置情報に基づいて、ユーザが所定場所を退出したか否か判断する。すなわち、ステップＳ３６では、ユーザが練習を終了したか否かを判断する。ここでの判断が否定された場合、すなわち、ユーザが所定場所にとどまっている場合、ユーザは練習を継続しているので、ステップＳ１４に戻り、以降ステップＳ１４〜Ｓ３６の処理・判断が繰り返される。
【００７１】
一方、ステップＳ３６の判断が肯定された場合、すなわち、ユーザが所定場所を退出した場合、ステップＳ３７に移行する。ステップＳ３７では、決定部２７２が所定場所におけるユーザの滞在時間（所定時間）を算出し、検出部２７３に入力する。なお、ステップＳ３７では、データ登録部２７６は、練習時間ＤＢ及び練習内容ＤＢの終了日時の項目に、ユーザが所定場所を退出した日時を格納する。
【００７２】
次いで、ステップＳ３８では、検出部２７３は、通信装置１０との通信時間の取得を終了する。
【００７３】
次いで、ステップＳ４２では、検出部２７３は、所定場所への滞在時間と、通信装置１０との通信時間とに基づいてユーザの練習度合を判定し、判定した練習度合をデータ登録部２７６に入力する。
【００７４】
ここで、検出部２７３による、練習度合の判定方法について、図１１（Ａ）〜図１１（Ｃ）に基づいて詳細に説明する。検出部２７３は、例えば、所定時間に対する通信時間の比率に基づいて、ユーザの練習度合を判定する。すなわち、ユーザが練習場所に居る間にどれだけ楽器に触れていたかを検出することにより、ユーザが練習場所に滞在している間、どれくらい熱心に練習を行ったかを判定することができる。例えば、図１１（Ａ）に示すように、所定時間内において人体通信のＯＮ／ＯＦＦが遷移したとする。この場合、所定時間に対する人体通信している時間（ＯＮ）の比率が予め定められている閾値（例えば７割）を超えていれば、検出部２７３は、ユーザが“熱心”に練習を行っていたと判定する。これに対し、図１１（Ｂ）に示すように、所定時間に対する人体通信している時間（ＯＮ）の比率が予め定められている閾値（例えば７割）を超えていなければ、検出部２７３は、ユーザは“だらだら”と練習を行っていたと判定する。なお、人体通信を行うための電極部１１がフィンガーボードや、ギターの裏面というように複数箇所に設けられている場合に、検出部２７３は人体通信が成立している電極の数が多いほど熱心に練習していたと判断してもよい。また、検出部２７３は、電極部１１が設けられている場所に応じて重み付けをして練習度合を判定してもよい。具体的には、ギターの裏面に設けらた電極部１１との人体通信よりも、フィンガーボードに設けられている電極部１１との人体通信の重みを大きくして、練習度合いを判定してもよい。また、検出部２７３は、マイク３００が集音した音の大きさや、音が連続して集音されていたか、途切れ途切れであったかや、テンポなどに応じてユーザの練習度合を判定してもよい。
【００７５】
なお、検出部２７３は、所定時間を複数の区間に分け、練習度合を判定してもよい。例えば、所定時間において、図１１（Ｃ）に示すように人体通信のＯＮ／ＯＦＦが遷移したとする。この場合、最初のうちは通信時間が短く、途中から通信時間が長くなっているので、検出部２７３は、練習度合を“途中から熱心”に練習を行っていたと判定してもよい。
【００７６】
検出部２７３の判定結果は、データ登録部２７６によって、図７の練習時間ＤＢに格納される。
【００７７】
そして、ステップＳ４４では、送信部２７９が、新たに取得されたデータ（各ＤＢの更新データ）をサーバ４００に対して送信し、図１０の全処理が終了する。
【００７８】
ここで、ユーザが自己の練習内容を参照する場合、電子機器２０は、記憶部２４に記憶されているＤＢに基づいた表示を行う。例えば、ユーザが楽譜に書き込んだメモを参照する旨のコマンドを電子機器２０に対して入力した場合には、電子機器２０は、図１２（Ａ）に示すように、表示部２５に楽譜を表示し、楽譜にメモが書き込まれている場合、メモが書きこまれた場所にアイコン６００を表示する。そして、表示制御部２８０は、例えば、ユーザがアイコン６００をクリックした場合、メモ部分の画像６０１に加え、ユーザがメモを筆記していたときに撮像した画像を再生するためのボタン６０２や録音した音声を再生するためのボタン６０３を表示する。なお、各ボタン６０２，６０３は、画像ＤＢに格納されているファイル（ファイル名）及び音声ＤＢに格納されているファイル（ファイル名）とリンク付けされているものとする。なお、ユーザが他のメンバのメモを閲覧したい場合には、電子機器２０の外部情報入力部２７８が、サーバ４００から他のメンバの書き込んだメモを取得し、当該取得したメモを表示制御部２８０が、表示部２５上に表示すればよい。
【００７９】
また、ユーザが他人の練習状況を参照する場合には、電子機器２０の外部情報入力部２７８は、サーバ４００から図９の目標管理ＤＢの内容を取得し、表示制御部２８０に送信する。そして、表示制御部２８０は、取得した内容を編集し、例えば、図１２（Ｂ）に示すように、バンドの各メンバの目標練習時間に対する実練習時間の割合をグラフで表すなどする。この場合、表示制御部２８０は、発表日（スケジュール）と現在の日時とに基づいて、発表までの日数等を表示部２５に表示させてもよい。また、練習した楽曲ごとに色分けしてグラフ上に表示するなどしてもよい。これにより、ユーザは、各楽器の練習の進捗状況を確認することができる。また、表示制御部２８０は、練習度合別に色分けしてグラフ上に表示するなどしてもよい。また、表示制御部２８０は、練習度合に応じて実練習時間を補正して（練習度合が“だらだら”の場合に実練習時間を短く見積もる等して）表示するなどしてもよい。また、表示制御部２８０は、図１２（Ｂ）の画面上に、チャットルームへ参加するボタン６０４を表示してもよい。この場合、図１２（Ｃ）に示すように、図１２（Ｂ）のデータを基に、グループ内のメンバーで意見交換や、励ましあいをすることができ、練習へのモチベーションを高めることができる。
【００８０】
以上、詳細に説明したように、本第１の実施形態によると、電子機器２０は、ギター５０に設けられた通信装置１０と人体通信又は近距離通信を行う第１通信部２２２と、通信装置１０と第１通信部２２２との間で人体通信が成立している時間（通信装置１０との通信時間）と所定時間（所定場所に存在している時間）とに基づいて、ユーザの練習度合を検出する検出部２７３と、を備えているので、ユーザに特別な操作を強いることなく、ユーザのギター５０の練習時間や、練習度合を記録することができる。さらに、ユーザは、練習の開始時刻及び終了時刻をメモする必要がなく、また、休憩などによる中断や再開があっても、トータルでどのくらい練習したのかを把握することが可能となる。
【００８１】
また、本第１の実施形態では、検出部２７３は、所定時間内における通信時間の変化に基づいてユーザの練習度合を判定することで(図１１（Ｃ）)、より詳細にユーザの練習度合を判定し、記録しておくことができる。
【００８２】
また、本第１の実施形態では、電子機器２０は、ユーザの位置情報を取得する位置情報入力部２７１と、ユーザの位置情報に基づいて所定時間を決定する決定部２７２とを備えるので、検出部２７３は、例えば、ユーザが練習場所に滞在している間にどれだけ熱心に練習を行ったかを判定することができる。
【００８３】
また、本第１の実施形態では、ユーザが筆記を行っている場合に、第１取得部２７４が撮像装置２００及びマイク３００から、撮像データ及び集音データを取得し、データ登録部２７６が、撮像データ及び集音データをユーザの練習記録と関連付けて記憶部２４に登録する。すなわち、ユーザがメモを記載したときに、当該メモのほか、音声やユーザの表情等も記録し、メモに関連付けるので、後日ユーザ自身又は他人がメモを見た場合でも当該メモの内容を容易に理解することができる。
【００８４】
また、本第１の実施形態では、第２取得部２７５が、ユーザが練習している楽曲情報を取得し、データ登録部２７６が、各練習データに関連付けて楽曲情報を記憶部２４に記憶するので、ユーザは、各練習でどのような楽曲を練習したのかを後から確認することができる。
【００８５】
また、本第１の実施形態では、サーバ４００に記憶された目標管理ＤＢは、演奏発表のスケジュールや楽器の目標練習時間を管理し、表示部２５は、目標練習時間に対する実練習時間や、演発発表までの残り日数を表示するので、ユーザは練習の進捗状況を確認することができ、発表に向けた楽器練習へのモチベーションを高めることができる。
【００８６】
また、本第１の実施形態では、送信部２７９は、他のユーザがアクセスできるサーバ４００に、記憶部２４に記憶されている情報（練習時間ＤＢ、メモＤＢ、画像ＤＢ、音声ＤＢ、練習内容ＤＢ）を送信するので、サーバ４００にアクセスしたバンドのメンバーと練習ログやメモを共有することによって、グループの演奏完成度をあげることができる。
【００８７】
なお、上記第１の実施形態では、第１取得部２７４は、ユーザが筆記を行っている場合に、撮像データを取得することとしたが、これに限らず、ユーザが練習している全ての時間を撮像した撮像データを取得してもよい。この場合、検出部２７３は、第１取得部２７４が取得した撮像データを用いて、ユーザの練習度合を判定してもよい。また、撮像及び録音は、例えば、ユーザによる電子機器２０の操作やユーザの発する言葉（音声認識）に応じて開始、終了するようにしてもよい。
【００８８】
また、上記第１の実施形態では、目標管理ＤＢを用いて、練習の進捗を算出していたが、楽譜内でメモが書かれている位置の進み具合に基づいて、練習の進捗を算出してもよい。
【００８９】
また、上記第１の実施形態では、ユーザが練習している楽曲に関連する動画（例えば、同じ楽曲を他者が演奏している動画）等が、インターネット上に存在する場合、第２取得部２７５は、当該動画を取得し、記憶部２４に記憶するようにしてもよい。さらに表示制御部２８０は、表示部２５上に第２取得部２７５が取得した動画を表示してもよい。
【００９０】
なお、上記第１の実施形態では、送信部２７９がサーバ４００に練習に関連するデータを送信する場合について説明したが、これに限らず、他のユーザ（他のバンドメンバー）が保持する携帯端末等に練習に関連するデータを送信するようにしてもよい。
【００９１】
なお、上記第１の実施形態では、決定部２７２が決定する所定時間が、練習場所に滞在している時間である場合について説明したが、これに限られるものではない。例えば、所定時間は、マイク３００がギターの音を最初に集音してから、一定時間ギターの音を集音しなくなるまでの間の時間などであってもよい。また、所定時間は、通信装置１０と電子機器２０とが人体通信を開始してから終了するまでの間の時間などであってもよい。
【００９２】
なお、上記第１の実施形態では、電子楽譜５０２を利用する場合について説明したが、これに限られるものではない。ユーザは、例えば、紙に印刷された楽譜を用いることとしてもよい。この場合、ユーザが楽譜にメモを書き込んでいるか否か、楽曲が変更されたかなどを撮像装置（図１の撮像装置２００と同一の撮像装置であってもよいし、異なる撮像装置であってもよい）の撮像画像に基づいて判定することとしてもよい。また、ユーザが書き込んだメモを撮像装置で撮像し、当該撮像画像を画像ＤＢに記録することとしてもよい。
【００９３】
《第２の実施形態》
次に、第２の実施形態に係る電子機器システム１Ｂについて、図１３〜図１７に基づいて、詳細に説明する。図１３には、第２の実施形態に係る電子機器システム１Ｂの構成がブロック図にて示されている。また、図１４には、電子機器システム１Ｂを利用している状況が示されている。
【００９４】
図１３及び図１４に示すように、電子機器システム１Ｂは、第１の実施形態の電子機器システム１Ａの構成に加えて、加速度計１００を備えている。以下の説明においては、第１の実施形態の電子機器システム１Ａと同一又は同等の構成についての説明は省略するものとする。なお、第２実施形態においては、制御部の符合を２７Ｂとしている。
【００９５】
（加速度計１００）
加速度計１００は、ユーザが楽器を演奏する際のユーザの動きを検出できる場所、例えば、ユーザの手首（図１４参照）に取り付けられる。なお、図１４では、腕時計に加速度計１００が設けられているものとする。
【００９６】
加速度計１００は、加速度センサ１０１と、通信部１０２と、制御部１０３とを有する。
【００９７】
加速度センサ１０１は、圧電素子や歪ゲージなどを用いることができ、ユーザの腕の加速度を検出するものである。加速度センサ１０１の軸数としては１〜３軸のいずれかを適宜選択すればよく、その数も任意に設定することができる。通信部１０２は、電子機器２０の第２通信部２２３との間で通信を行う。通信部１０２は、加速度センサ１０１の出力を、電子機器２０に対して送信する。なお、通信部１０２は、無線通信又は人体通信により電子機器２０の第２通信部２２３又は第１通信部２２２との間で通信を行う。なお、以後の説明において、加速度センサ１０１の出力データを、加速度データと呼ぶものとする。制御部１０３は、加速度計１００全体を制御するものであり、本第２の実施形態においては、加速度データを電子機器２０に送信するための制御を行う。
【００９８】
次に、第２の実施形態に係る電子機器２０の制御部２７Ｂが備える機能の一例について説明する。なお、制御部２７Ｂのハードウェア構成は、制御部２７Ａと同一であるため、図示及び説明を省略する。
【００９９】
図１５に示すように、制御部２７Ｂは、第１の実施形態に係る制御部２７Ａの構成に加えて、ユーザ動作入力部２８１を有している。ユーザ動作入力部２８１は、加速度計１００から加速度データを取得し、検出部２７３に入力する。
【０１００】
検出部２７３は、ユーザ動作入力部２８１から加速度データを受け付け、加速度データに基づいて、ユーザの練習度合を判定する。例えば、ユーザ動作入力部２８１は、加速度データが図１６（Ａ）に示すデータであった場合（加速度が大きい時間が長い場合）、ユーザが“熱心”に練習を行っていたと判定する。一方、検出部２７３は、加速度データが図１６（Ｂ）に示すデータであった場合（加速度が大きい時間が短い場合）、ユーザは“だらだら”と練習を行っていたと判定する。なお、検出部２７３は、例えば、曲ごと及び楽器の種類ごとに、“熱心”な練習を行った場合と“だらだら”と練習を行った場合の基準となる加速度データを保持し、当該基準となる加速度データに基づいて練習度合を判定することとしてもよい。この場合、楽曲ごとの基準となる加速度データは、楽曲のテンポや所定小節数内に存在する音符数などに基づいて定めるようにしてもよい。なお、検出部２７３は、判定結果をデータ登録部２７６に出力する。なお、第２実施形態においても、検出部２７３は、マイク３００が集音した音も考慮してユーザの練習度合を判定してもよい。
【０１０１】
次に、制御部２７Ｂが実行する処理の一例について説明する。図１７は制御部２７Ｂが実行する処理の一例を示すフローチャートである。図１７の処理では、図１０の処理と比較するとわかるように、図１０のステップＳ３８とステップＳ４４の間に、ステップＳ１４０、Ｓ１４２の処理を実行する。
【０１０２】
図１７の処理では、ステップＳ３８の処理の後、ステップＳ１４０において、ユーザ動作入力部２８１が、加速度計１００から加速度データを取得し、検出部２７３に入力する。
【０１０３】
次いで、ステップＳ１４１では、検出部２７３が、所定時間に対する通信時間の比率から判定される練習度合と加速度データから判定される練習度合とに基づいて、ユーザの練習度合を判定する。この場合、所定時間に対する通信時間の比率から判定される練習度合と加速度データから判定される練習度合とを数値化して、両練習度合を積算した値に基づいてユーザの練習度合を判定するなどすることができる。なお、検出部２７３は、判定結果をデータ登録部２７６に入力し、データ登録部２７６は、練習時間ＤＢ（図７）に、判定結果を格納する。
【０１０４】
以上、説明したように、本第２の実施形態によると、検出部２７３が、ユーザ動作入力部２８１が取得した加速度データを用いて、ユーザの練習度合を判定するので、練習度合の判定をユーザの動きに基づいて、精度よく行うことができる。
【０１０５】
なお、上記第２の実施形態では、検出部２７３が、所定時間に対する通信時間の比率から判定される練習度合と加速度データから判定される練習度合の両方に基づいてユーザの練習度合を判定する場合について説明したが、これに限られるものではない。例えば、加速度データから判定される練習度合のみに基づいて、ユーザの練習度合を判定することとしてもよい。
【０１０６】
なお、上記第２の実施形態では、腕に加速度計１００を設けているので、ユーザが筆記を行っているか否かを加速度計１００の加速度データに基づいて判断することとしてもよい。
【０１０７】
また、上記第２の実施形態では、加速度計１００を通信装置１０とは別途用意する場合について説明したが、これに限らず、通信装置１０に加速度センサを設け、当該加速度センサの検出結果に基づいてユーザの動きに関する情報を取得するようにしてもよい。また、電子機器２０が加速度センサを備え、当該加速度センサの検出結果に基づいてユーザの動きに関する情報を取得するようにしてもよい。
【０１０８】
なお、上記各実施形態では、電子機器２０は、熱心に練習している時間が長い場合（例えば、通信装置１０との通信時間が長い場合や、加速度データが大きな値をとり続けている場合）には、ユーザに休憩を促すよう報知することとしてもよい。
【０１０９】
また、上記各実施形態では、電子機器２０を楽器の練習に用いる場合について説明したが、これに限らず、楽器の練習以外（例えばスポーツの練習や学習等）に用いることもできる。このように、楽器やスポーツの練習、学習等において、その練習時間や学習時間を記録しておくことによって、ユーザが練習や学習を続けるモチベーションを高めることができる。なお、スポーツの練習に本発明を適用する場合、ユーザが使用する道具（例えば、野球ならバット等）に通信装置１０を設けるようにすればよい。また、本発明を学習に適用する場合、筆記具等に通信装置１０を設けるようにすればよい。
【０１１０】
上述した実施形態は本発明の好適な実施の例である。但し、これに限定されるものではなく、本発明の要旨を逸脱しない範囲内において種々変形実施可能である。
【符号の説明】
【０１１１】
１０  通信装置
２０  電子機器
２４  記憶部
２５  表示部
２７１  位置情報入力部
２７２  決定部
２７３  検出部
２７４  第１取得部
２７５  第２取得部
２７８  外部情報入力部
２７９  送信部
２８１  ユーザ動作入力部
２００  撮像装置
３００  マイク
４００  サーバ
【図１】
2014007660.tif 000003
【図２】
2014007660.tif 000004
【図３】
2014007660.tif 000005
【図４】
2014007660.tif 000006
【図５】
2014007660.tif 000007
【図６】
2014007660.tif 000008
【図７】
2014007660.tif 000009
【図８】
2014007660.tif 000010
【図９】
2014007660.tif 000011
【図１０】
2014007660.tif 000012
【図１１】
2014007660.tif 000013
【図１２】
2014007660.tif 000014
【図１３】
2014007660.tif 000015
【図１４】
2014007660.tif 000016
【図１５】
2014007660.tif 000017
【図１６】
2014007660.tif 000018
【図１７】
2014007660.tif 000019